(57)【要約】【課題】格納部から展開された帯状のシート基材をシート支持体に支持させて着座シートを形成させ、着座シートの座面位置を変更可能なシート装置を提供する。【解決手段】シート装置１は、着座者が着座するシートを形成する帯状のシート基材１０と、シート基材１０を支持するシート支持体２０を備えている。車室内ルーフに取り付けられたシート巻取軸３０から吊り下げられたシート基材１０を車室内フロアに立設されたシート支持体２０に支持させて着座シートを形成する。この着座シートは、シート支持体２０の移動によって着座シートの座面位置を変更することができる。【選択図】図２
2014104904.tif 000002
【特許請求の範囲】
【請求項１】
着座者が着座するシートを形成する帯状のシート基材と、
該シート基材を支持するシート支持体と、を備え、
前記シート基材は、格納位置と展開位置との間を移動可能であって、
前記シート支持体は、収納位置と、該収納位置から起立した起立位置との間を移動可能であって、
前記展開位置にある前記シート基材が、前記起立位置にある前記シート支持体に係止可能に支持されて、前記シートを形成し、
該シートは、前記シート支持体の移動に伴い、前記シートの座面位置を変更可能であることを特徴とするシート装置。
【請求項２】
前記シート基材は、車室内に乗員が着座する前記シートを形成し、乗員から見て上方部に格納された前記格納位置と、前記上方部から吊り下げられた前記展開位置との間を移動可能であって、
前記シート支持体は、乗員から見て下方部に収納された前記収納位置と、該収納位置から起立した前記起立位置との間を回動可能であることを特徴とする請求項１に記載のシート装置。
【請求項３】
前記上方部に取り付けられたシート巻取軸を備え、
該シート巻取軸は、前記シート基材を巻き取り可能であることを特徴とする請求項２に記載のシート装置。
【請求項４】
前記上方部に固定された、ロック機構を有する上方ガイドレールを備え、
該上方ガイドレールは、前記シート巻取軸を前記上方ガイドレールに対して相対移動可能に支持すると共に、前記ロック機構により前記シート巻取軸の移動を規制し、
前記シートは、
背もたれ部及び着座部を一体的に備え、
前記シート巻取軸の移動に伴い、前記着座部に対する前記背もたれ部の傾斜角度を変更可能であることを特徴とする請求項２又は３に記載のシート装置。
【請求項５】
前記シート支持体は、前記着座部の前方部分を支持する前方シート支持体と、前記着座部の後方部分を支持する後方シート支持体と、該後方シート支持体と前記前方シート支持体を連結する支持体連結部と、を備え、
前記前方シート支持体及び前記後方シート支持体は、前記支持体連結部を介して互いに連動して回動可能であることを特徴とする請求項４に記載のシート装置。
【請求項６】
前記下方部に固定された、支持体ロック機構を有する下方ガイドレールを備え、
該下方ガイドレールは、前記シート支持体を前記下方ガイドレールに対して相対移動可能に支持すると共に、前記支持体ロック機構により前記シート支持体の移動を規制することを特徴とする請求項２乃至５いずれか記載のシート装置。
【請求項７】
前記シート基材が前記上方部に取り付けられた部分には、車両の振動を吸収する振動吸収体が設けられていることを特徴とする請求項２乃至６いずれか記載のシート装置。
【請求項８】
前記シート基材は、伸縮性を有する布状体及び紐状体から形成され、
前記シート基材のうち、前記シートに着座した乗員の上方に相当する部分は、紐状体から形成されていることを特徴とする請求項２乃至７いずれか記載のシート装置。
【請求項９】
前記シートの前記座面位置を変更する座面位置変更手段と、
前記シートの座面張力を変更する座面張力変更手段と、を備えたことを特徴とする請求項３乃至８いずれか記載のシート装置。
【請求項１０】
着座する乗員の姿勢又は体格を検出する乗員姿勢検出部と、
該乗員姿勢検出部の検出信号に基づいて、前記座面位置変更手段を駆動する座面位置制御部と、を備えることを特徴とする請求項９に記載のシート装置。
【請求項１１】
着座する乗員の重量を検出するシート重量検出部と、
該シート重量検出部の検出信号に基づいて、前記座面張力変更手段を駆動する座面張力制御部と、を備えることを特徴とする請求項９又は１０に記載のシート装置。
【発明の詳細な説明】
【技術分野】
【０００１】
本発明は、シート装置に係り、特に、シートの収納性に優れて広い荷室を確保できると共に、乗員の着座感に優れたシートを形成する車両用シート装置に関する。
【背景技術】
【０００２】
従来、車室内にコンパクトに折り畳んだ状態で収納でき、着座者が収納場所から引き出して利用可能な車両用シートが種々提案されている。
このような車両用シートにおいて、帯状のシート材から簡単な構造で着座用シートを形成できる技術が知られている（例えば、特許文献１）。
【０００３】
特許文献１に記載の車両用補助シートは、車体上方部に設置した巻上げ機に引き出し可能に巻き込まれた帯状のシート材と、車体フロア上に起伏自在に格納された前後脚を有する脚部材とからなり、巻上げ機から引き出されたシート材を車体サイド面と脚部材に係止することにより、シート材の引き出し部分を断面Ｌ字状に屈曲させて、背もたれ部及び着座部が一体となった着座シートとして形成されている。
このように構成されているため、コンパクトに収納可能であると共に、簡単に着座シートを形成することができる。また、帯状シート材から着座シートを形成するためにシートの軽量化を図ることができ、その結果、車体全体の重量を軽量化できる。
【先行技術文献】
【特許文献】
【０００４】
【特許文献１】特開２００３−２０９７号公報
【発明の概要】
【発明が解決しようとする課題】
【０００５】
しかし、特許文献１のような車両用補助シートでは、引き出された帯状シート材を車体サイド面と脚部材に係止して着座シートを形成するため、この着座シートの座面位置が固定されることになり、乗員の体格や姿勢、乗員の重量、又は乗員の嗜好に合わせて、乗員の操作によって着座シートの座面位置を変更することはできなかった。
そのため、例えば、帯状シート材を支持する脚部材が、車体フロア側を支点として回動可能なリンク機構を備えることによって、着座シートの座面位置を変更可能なシート装置が望まれていた。
また、特許文献１のような車両用補助シートでは、帯状シート材を巻き込む巻き上げ機が、車体上方部に固定されて車体前後方向に移動することはできなかった。そのため、例えば、帯状シート材を巻き込む巻き上げ機を車体前後方向に移動可能に取り付けることによって、巻き上げ機の移動に伴い、着座シートの着座部に対する背もたれ部の傾斜角度を変更可能なシート装置が望まれていた。
また、特許文献１のような車両用補助シートでは、車体上方部に設置した巻上げ機から帯状シート材を引き出して着座シートを形成しているものの、車両から着座シートに伝わる振動を軽減させるような配慮は特にされていなかった。そのため、車両から着座シートに伝わる振動を吸収可能なシート装置が望まれていた。
また、特許文献１のような車両用補助シートは、着座する乗員の姿勢や体格、又は乗員の重量を検出する乗員姿勢検知センサやシートウエイトセンサ等を備えておらず、その検出信号に基づいて、着座シートの座面位置変更や座面張力変更を制御する構成にはなっていなかった。そのため、着座する乗員の姿勢や体格、又は乗員の重量を自動検出し、着座シートの座面位置変更や、座面張力変更を制御して、乗員の着座感を向上させたシート装置が望まれていた。
【０００６】
本発明は、上記の課題に鑑みてなされたものであり、本発明の目的は、格納部から展開された帯状シート基材をシート支持体に支持させて着座シートを形成可能であって、この着座シートの座面位置を変更可能なシート装置を提供することにある。
また、本発明の他の目的は、帯状シート基材から形成された着座シートの着座部に対する背もたれ部の傾斜角度を変更可能なシート装置を提供することにある。
また、本発明の他の目的は、車両から着座シートに伝わる振動を吸収可能なシート装置を提供することにある。
また、本発明の他の目的は、着座する乗員の姿勢や体格、又は乗員の重量を自動検出し、着座シートの座面位置変更や、座面張力変更を制御して、乗員の着座感を向上させたシート装置を提供することにある。
【課題を解決するための手段】
【０００７】
前記課題は、本発明のシート装置によれば、着座者が着座するシートを形成する帯状のシート基材と、該シート基材を支持するシート支持体と、を備え、前記シート基材は、格納位置と展開位置との間を移動可能であって、前記シート支持体は、収納位置と、該収納位置から起立した起立位置との間を移動可能であって、前記展開位置にある前記シート基材が、前記起立位置にある前記シート支持体に係止可能に支持されて、前記シートを形成し、該シートは、前記シート支持体の移動に伴い、前記シートの座面位置を変更可能であること、により解決される。
【０００８】
このように、展開位置にあるシート基材が、起立位置にあるシート支持体に係止可能に支持されて、シートを形成し、シートは、シート支持体の移動に伴い、シートの座面位置を変更可能であるため、格納部から展開された帯状シート基材をシート支持体に支持させて着座シートを形成可能であって、この着座シートの座面位置を変更可能なシート装置を提供することができる。
また、シート基材は、格納位置と展開位置との間を移動可能であって、シート支持体は、収納位置と起立位置との間を移動可能であるため、シート基材及びシート支持体は、必要に応じて格納又は収納することができる。
【０００９】
このとき、前記シート基材は、車室内に乗員が着座する前記シートを形成し、乗員から見て上方部に格納された前記格納位置と、前記上方部から吊り下げられた前記展開位置との間を移動可能であって、前記シート支持体は、乗員から見て下方部に収納された前記収納位置と、該収納位置から起立した前記起立位置との間を回動可能であると良い。
【００１０】
このように構成されているため、帯状のシート基材を係止可能に支持するシート支持体が、車体フロア側を支点として回動可能な回動機構を備える構成となる。
従って、乗員から見て上方部から吊り下げられたシート基材が、起立位置にあるシート支持体に係止可能に下方から支持されて、シートを形成可能であって、このシートは、シート支持体の車体フロア側を支点とした回動に伴い、シートの座面位置を変更することができるようになる。
【００１１】
このとき、前記上方部に取り付けられたシート巻取軸を備え、該シート巻取軸は、前記シート基材を巻き取り可能であると良い。
このように構成されているため、シート基材は、シート巻取軸側に付勢された状態で、シート巻取軸に巻き取られて格納されており、簡単なシート装置の構造によって、シート基材を格納位置と展開位置の間で移動させることができる。
【００１２】
このとき、前記上方部に固定された、ロック機構を有する上方ガイドレールを備え、該上方ガイドレールは、前記シート巻取軸を前記上方ガイドレールに対して相対移動可能に支持すると共に、前記ロック機構により前記シート巻取軸の移動を規制し、前記シートは、背もたれ部及び着座部を一体的に備え、前記シート巻取軸の移動に伴い、前記着座部に対する前記背もたれ部の傾斜角度を変更可能であると良い。
このように、シートは、背もたれ部及び着座部を一体的に備え、シート巻取軸の移動に伴い、着座部に対する背もたれ部の傾斜角度を変更可能であるため、シート基材を巻き取り可能に格納するシート巻取軸を車体前後方向に移動可能に取り付けることで、着座部に対する背もたれ部の傾斜角度を変更することができる。
【００１３】
このとき、前記シート支持体は、前記着座部の前方部分を支持する前方シート支持体と、前記着座部の後方部分を支持する後方シート支持体と、該後方シート支持体と前記前方シート支持体を連結する支持体連結部と、を備え、前記前方シート支持体及び前記後方シート支持体は、前記支持体連結部を介して互いに連動して回動可能であると良い。
このように、前方シート支持体及び後方シート支持体は、支持体連結部を介して互いに連動して回動可能であるため、帯状のシート基材を支持するシート支持体、後方シート支持体、及び支持体連結部が、車体フロア側を支点として回動可能なリンク機構を備える構成となる。従って、複数からなるシート支持体のリンク機構によって、着座シートの座面位置を細かく調整することができる。
【００１４】
このとき、前記下方部に固定された、支持体ロック機構を有する下方ガイドレールを備え、該下方ガイドレールは、前記シート支持体を前記下方ガイドレールに対して相対移動可能に支持すると共に、前記支持体ロック機構により前記シート支持体の移動を規制すると良い。
このように、下方ガイドレールは、シート支持体を下方ガイドレールに対して相対移動可能に支持すると共に、支持体ロック機構によりシート支持体の移動を規制するため、シート支持体のリンク機構に加えて、シート支持体を車体前後方向に移動可能となり、着座シートの座面位置を一層細かく調整することができる。
【００１５】
このとき、シート巻取軸には、車両の振動を吸収する振動吸収体が設けられていると良い。
このように、シート巻取軸に、車両から着座シートに伝わる振動を吸収可能な振動吸収体が取り付けられているため、簡単なシート装置の構造によって、車両から着座シートに伝わる振動を吸収することができる。
【００１６】
このとき、前記シート基材は、伸縮性を有する布状体及び紐状体から形成され、前記シート基材のうち、前記シートに着座した乗員の上方に相当する部分は、紐状体から形成されていると良い。
このように、シート基材のうち、シートに着座した乗員の上方に相当する部分は、紐状体から形成されているため、布状体から形成される場合と比較して、運転座席に着座する乗員が車両後方の視界を確保し易くなる。
【００１７】
このとき、前記シートの前記座面位置を変更する座面位置変更手段と、前記シートの座面張力を変更する座面張力変更手段と、を備えていると良い。
このように、座面位置変更手段と、座面張力変更手段とを備えているため、乗員の操作によって、座面位置の変更及び座面張力の変更が可能になる。
【００１８】
このとき、着座する乗員の姿勢又は体格を検出する乗員姿勢検出部と、該乗員姿勢検出部の検出信号に基づいて、前記座面位置変更手段を駆動する座面位置制御部と、を備えと良い。
このように、乗員姿勢検出部と、座面位置制御部とを備えているため、着座する乗員の姿勢や体格を自動検出し、着座シートの座面位置変更を制御して、乗員の着座感を向上させたシート装置を提供できる。
【００１９】
このとき、着座する乗員の重量を検出するシート重量検出部と、該シート重量検出部の検出信号に基づいて、前記座面張力変更手段を駆動する座面張力制御部と、を備えると良い。
このように、シート重量検出部と、座面張力制御部とを備えているため、着座する乗員の重量を自動検出し、着座シートの座面張力変更を制御して、乗員の着座感を向上させることができる。
【発明の効果】
【００２０】
請求項１の発明によれば、展開位置にあるシート基材が、起立位置にあるシート支持体に係止可能に支持されて、シートを形成し、シートは、シート支持体の移動に伴い、シートの座面位置を変更可能であるため、格納部から展開された帯状シート基材をシート支持体に支持させて着座シートを形成可能であって、この着座シートの座面位置を変更可能なシート装置を提供することができる。
また、シート基材は、格納位置と展開位置との間を移動可能であって、シート支持体は、収納位置と起立位置との間を移動可能であるため、シート基材及びシート支持体は、必要に応じて格納又は収納することができる。
【００２１】
請求項２の発明によれば、帯状のシート基材を係止可能に支持するシート支持体が、車体フロア側を支点として回動可能な回動機構を備える構成となる。
従って、乗員から見て上方部から吊り下げられたシート基材が、起立位置にあるシート支持体に係止可能に下方から支持されて、シートを形成可能であって、このシートは、シート支持体の車体フロア側を支点とした回動に伴い、シートの座面位置を変更することができるようになる。
【００２２】
請求項３の発明によれば、シート基材は、シート巻取軸側に付勢された状態で、シート巻取軸に巻き取られて格納されており、簡単なシート装置の構造によって、シート基材を格納位置と展開位置の間で移動させることができる。
請求項４の発明によれば、シートは、背もたれ部及び着座部を一体的に備え、シート巻取軸の移動に伴い、着座部に対する背もたれ部の傾斜角度を変更可能であるため、シート基材を巻き取り可能に格納するシート巻取軸を車体前後方向に移動可能に取り付けることで、着座部に対する背もたれ部の傾斜角度を変更することができる。
【００２３】
請求項５の発明によれば、前方シート支持体及び後方シート支持体は、支持体連結部を介して互いに連動して回動可能であるため、帯状のシート基材を支持するシート支持体、後方シート支持体、及び支持体連結部が、車体フロア側を支点として回動可能なリンク機構を備える構成となる。従って、複数からなるシート支持体のリンク機構によって、着座シートの座面位置を細かく調整することができる。
請求項６の発明によれば、下方ガイドレールは、シート支持体を下方ガイドレールに対して相対移動可能に支持すると共に、支持体ロック機構によりシート支持体の移動を規制するため、シート支持体のリンク機構に加えて、シート支持体を車体前後方向に移動可能となり、着座シートの座面位置を一層細かく調整することができる。
【００２４】
請求項７の発明によれば、シート巻取軸に、車両から着座シートに伝わる振動を吸収可能な振動吸収体が取り付けられているため、簡単なシート装置の構造によって、車両から着座シートに伝わる振動を吸収することができる。
請求項８の発明によれば、シート基材のうち、シートに着座した乗員の上方に相当する部分は、紐状体から形成されているため、布状体から形成される場合と比較して、運転座席に着座する乗員が車両後方の視界を確保し易くなる。
【００２５】
請求項９の発明によれば、座面位置変更手段と、座面張力変更手段とを備えているため、乗員の操作によって、座面位置の変更及び座面張力の変更が可能になる。
請求項１０の発明によれば、乗員姿勢検出部と、座面位置制御部とを備えているため、着座する乗員の姿勢や体格を自動検出し、着座シートの座面位置変更を制御して、乗員の着座感を向上させたシート装置を提供できる。
請求項１１の発明によれば、シート重量検出部と、座面張力制御部とを備えているため、着座する乗員の重量を自動検出し、着座シートの座面張力変更を制御して、乗員の着座感を向上させることができる。
【図面の簡単な説明】
【００２６】
【図１】本発明に係るシート装置の全体構成を示す概略側面図である。
【図２】本発明に係るシート装置を示す斜視図である。
【図３】図２のシート装置の上方ガイドレールＡ−Ａ断面図である。
【図４】図２のシート装置の下方ガイドレールＢ−Ｂ断面図である。
【図５】図２のシート装置の変形例を示す概略側面図である。
【図６】図２のシート装置のシート基材の張力及び通気性を説明する説明図である。
【図７】本発明の第２実施形態を示すシート装置を示す側面図である。
【図８】本発明の第３実施形態を示すシート装置を示す側面図である。
【図９】本発明の第４実施形態を示すシート装置を示す斜視図である。
【図１０】本発明の第５実施形態を示すシート装置を示す部分斜視図である。
【図１１】第５実施形態のシート装置の制御を示すブロック図である。
【図１２】第５実施形態のシート装置の座面張力制御を示すフローチャートである。
【図１３】第５実施形態のシート装置の座面位置制御を示すフローチャートである。
【発明を実施するための形態】
【００２７】
図１は、本発明に係るシート装置の全体構成を示す概略側面図である。図２は、本発明に係るシート装置を示す斜視図である。図３は、図２のシート装置の上方ガイドレールＡ−Ａ断面図である。図４は、図２のシート装置の下方ガイドレールＢ−Ｂ断面図である。図５は、図２のシート装置の変形例を示す概略側面図である。図６は、図２のシート装置のシート基材の張力及び通気性を説明する説明図である。図７は、本発明の第２実施形態を示すシート装置を示す側面図である。図８は、本発明の第３実施形態を示すシート装置を示す側面図である。図９は、本発明の第４実施形態を示すシート装置を示す斜視図である。図１０は、本発明の第５実施形態を示すシート装置を示す部分斜視図である。図１１は、第５実施形態のシート装置の制御を示すブロック図である。図１２は、第５実施形態のシート装置の座面張力制御を示すフローチャートである。図１３は、第５実施形態のシート装置の座面位置制御を示すフローチャートである。
【００２８】
本実施形態は、車室内ルーフから吊り下げられた帯状のシート基材を、車室内フロアに立設されたシート支持体に支持させて着座シートを形成し、この着座シートの座面位置をシート支持体の回動によって変更可能に設けたことを特徴とするシート装置の発明に関するものである。
本実施形態のシート装置１は、図１に示すように、車室内ルーフから吊り下げられ、乗員が着座するシートを形成する帯状のシート基材１０と、車室内フロアに立設され、シート基材１０を下方から係止可能に支持するシート支持体２０と、車室内ルーフに取り付けられ、シート基材１０を巻き取り可能なシート巻取軸３０と、車室内ルーフに固定され、シート巻取軸３０の長手方向の両端部を支持する、車両長手方向に長尺な上方ガイドレール４０と、車室内フロアに固定され、シート支持体２０の下方端部を支持する、車両長手方向に長尺な下方ガイドレール５０と、から主に構成されており、車室内に乗員が着座する帯状の着座シートを形成するものである。
なお、車両長手方向において、シート装置１のシート基材１０に対して乗員が着座する側が前方側となる。
【００２９】
シート基材１０は、シート装置１の着座シートの座面を形成する基材であって、伸縮性を有する布状体及び紐状体から形成された略矩形状の長尺体からなり、図１に示すように、シートに着座する乗員の頭部、背もたれ部、及び着座部を支持する部分を一体的に備えて構成されている。
シート基材１０は、図２に示すように、車室内ルーフに取り付けられたシート巻取軸３０に引き出し可能に格納された格納位置と、シート巻取軸３０から引き出され、車室内ルーフ側から吊り下げられた状態にある展開位置との間を移動可能であって、格納時には、シート巻取軸３０の付勢力によって格納位置側に移動して収納されている。
【００３０】
シート基材１０は、展開位置にあるとき、シート巻取軸３０から引き出された部分であって、着座する乗員の上方に位置する頭上部１１と、乗員の頭部を支持する頭部１２と、乗員の背もたれ部を支持する背もたれ部１３と、乗員の着座部を支持する着座部１４と、から構成されており、頭上部１１から着座部１４にわたって連続して形成されている。
頭上部１１は、上下方向に延びる複数の紐状体からなり、複数の紐状体の間に隙間を設けることで、車両前後方向において乗員の視界を確保できるように構成されている。
頭部１２、背もたれ部１３、着座部１４は、連続して形成された布状体からなり、乗員の部位に対応してそれぞれ異なる張力に調整されている。
【００３１】
シート基材１０の吊り下げ端部であって、着座部１４の前方部分には、シート支持体２０と連結するための一対の係合フック１５が取り付けられている。
各係合フック１５は、紐状体のフック部材としてシート基材１０に縫着されており、車両左右方向において所定の間隔をおいて配置されている。
なお、係合フック１５は、紐状体のフック部材に限定されることなく、適宜変更可能であり、公知な金属製フック部材等としてシート基材１０に縫着して取り付けられても良い。
【００３２】
シート支持体２０は、シート装置１の着座シートの座面位置を変更する支持部材であって、略直方体からなる金属製の支持フレームとして形成されている。
シート支持体２０は、図２に示すように、車室内フロアに折り畳んで収納された収納位置と、収納位置から車体フロア上に起立した起立位置との間を回動可能であって、収納時には、車両前方側又は後方側に回動させて車室内フロア側に収納されている。
シート支持体２０は、車室内フロアに立設した略直方体からなる函体２１と、函体２１内部に収納され、函体２１上面側から上方向に取り出し可能な略コ字形状のシート支持枠２２と、から主に構成されている。
【００３３】
函体２１は、函体２１上面側に開口を備えた左右方向に長尺な函材からなり、函体２１の下方端部の左右外側面が、車室内フロアに取り付けられた下方ガイドレール５０と連結されており、車室内フロア側を支点として前後方向に回動自在な機構となっている。
なお、函体２１は、所定の回動位置で固定可能な不図示の公知な連結機構によって構成されている。
シート支持枠２２は、パイプ部材からなり、公知な連結機構によって函体２１に対して上下方向に移動可能な状態で、シート支持枠２２の左右外側面と函体２１の左右内側面が連結されている。
なお、シート支持枠２２は、函体２１に対して所定の高さ位置で固定可能な不図示のロック機構を備えた構成となっている。
シート支持枠２２の上面には、シート基材１０の係合フック１５に着脱可能に係合させるための一対の係合ブラケット２３が固定されている。
【００３４】
シート巻取軸３０から吊り下げられたシート基材１０を車室内フロア上に起立したシート支持体２０に支持させると共に、シート基材１０側の係合フック１５をシート支持体２０側の係合ブラケット２３に係合させることによって、着座シートを形成できる。
このとき、函体２１に対してシート支持枠２２を上方に引き出して、シート支持体２０の高さを高くすることによって、着座シートの座面高さを変更することができる。また、車室内フロア側を支点としてシート支持体２０を前後方向に回動させることによって、着座シートの座面位置を変更することができる。
例えば、シート支持体２０の高さを高くすると共に、シート支持体２０を前方側に回動させて起立位置よりも前方位置に配置することによって、着座シートの座高が高くなり、着座シートのうち、着座部１４の前後方向の長さが長くなる。
【００３５】
なお、シート支持体２０の後方外側面に不図示のフロントエアバッグを取り付けておき、車両の前方衝突時等の際に、このフロントエアバッグが上方に向って展開されるように構成することで、着座する乗員の前方移動を低減することが可能になる。
【００３６】
シート巻取軸３０は、シート装置１のシート基材１０を格納する公知な巻取体であって、車両左右方向に長尺な略円筒体として形成されている。
シート巻取軸３０には、不図示のぜんまいバネが装着されており、シート巻取軸３０がバネの弾性力によってシート基材１０を巻き取り方向に付勢する構成となっている。
シート巻取軸３０の左右両端部は、車室内ルーフに取り付けられた上方ガイドレール４０と連結されており、上方ガイドレール４０に対して前後方向に相対移動自在な機構となっている。
【００３７】
シート巻取軸３０から吊り下げられたシート基材１０をシート支持体２０に支持させて形成した着座シートに対して、シート巻取軸３０を車両前後方向に移動することによって、着座シートのうち、着座部１４に対する頭部１２及び背もたれ部１３の傾斜角度を変更することができる。
例えば、シート支持体２０に対してシート巻取軸３０を車両後方に移動することによって、頭部１２及び背もたれ部１３が、着座部１４に対して後傾することになる。
【００３８】
上方ガイドレール４０は、シート装置１の着座シートのリクライニング機構を構成する公知なスライドレールであって、図２に示すように、車両前後方向に長尺な固定レール４１と、固定レール４１にスライド移動可能に装着されたスライダ４２と、固定レール４１とスライダ４２との間に嵌め込まれた図３に示すガイド４３と、から主に構成されている。
固定レール４１は、金属材料等から形成された断面略コ字形状体からなり、左右方向に所定の間隔をおいて一対に配置され、左右内側面の略中央に開口が形成されて構成されている。固定レール４１内部の収容室にはスライダ４２が挿入されている。
【００３９】
スライダ４２は、金属材料等から形成された左右方向に長尺な略Ｈ形状体からなり、スライダ４２の左右方向の中央部が、シート巻取軸３０の内部に挿設されると共に、スライダ４２の左右両端部が、固定レール４１の収容室内に挿設されて構成されている。
固定レール４１の上下の壁部と、スライダ４２の左右両端部との間には、図３に示すように、ガイド４３が嵌め込まれ、ガイド４３は、固定レール４１に対してスライダ４２を前後方向にスライド移動可能に固定レール４１及びスライダ４２を支持している。
なお、上方ガイドレール４０は、固定レール４１に対してスライダ４２を所定の前後位置で固定可能な不図示のロック機構を備えた構成となっている。
【００４０】
スライダ４２と固定レール４１の開口部分との間には、図３に示すように、車両の振動を吸収するための振動吸収体４４が取り付けられている。
振動吸収体４４は、公知な防振ゴムであって、略円柱状の中空体として形成されており、振動吸収体４４の中空内部にスライダ４２を挿設させて連結されている。
また、振動吸収体４４は、固定レール４１の開口部分に挿設されており、固定レール４１と当接可能に配置されている。
スライダ４２は、スライダ４２の中央部に振動吸収体４４を嵌め込んだ後に、左右両端部を溶接して形成されている。
なお、本実施形態の振動吸収体４４は、防振ゴムを用いているが、これに限定されることなく適宜変更可能である。例えば、防振バネ、オイルダンパー、鉛ダンパー等を用いることが可能である。
【００４１】
着座シートは、車室内ルーフから吊り下げられて形成されるため、車両の振動を受けたときに揺動し易い構成となり、着座する乗員の着座感を損なうことになる。そのため、車室内ルーフ側に振動吸収体４４を取り付けることによって、着座シートに伝わる振動を軽減することができる。
スライダ４２が固定レール４１に対して前後方向に相対移動することに伴い、スライダ４２と一体となったシート巻取軸３０が前後方向に移動可能になる。シート支持体２０に対してシート巻取軸３０が相対移動することに伴い、着座シートのリクライニング機構を構成することができる。
【００４２】
下方ガイドレール５０は、シート装置１の着座シートの前後位置を変更する公知なスライドレールであって、図２に示すように、車両前後方向に長尺な固定レール５１と、固定レール５１にスライド移動可能に装着されたスライダ５２と、固定レール５１とスライダ４２との間に嵌め込まれた図４に示すガイド５３と、から主に構成されている。
固定レール５１は、断面略コ字形状の中空体からなり、左右方向に所定の間隔をおいて一対に配置され、固定レール５１上面の略中央に開口が形成されて構成されている。固定レール５１内部の収容室には、スライダ５２が挿入されている。
【００４３】
スライダ５２は、前後方向に長尺な略凸字形状体からなり、スライダ５２の下方部分が、固定レール５１の収容室内に挿設されると共に、スライダ５２の上方部分が、固定レール５１の開口から露出して構成されている。
スライダ５２の上方部分には連結部５４が設けられており、連結部５４は、左右外側からシート支持体２０を挟み込むようにしてシート支持体２０下端部に連結されている。
固定レール５１の左右の壁部と、スライダ５２の下方部分との間には、図４に示すように、ガイド５３が嵌め込まれ、ガイド５３は、固定レール５１に対してスライダ５２を前後方向にスライド移動可能に固定レール５１及びスライダ５２を支持している。
なお、下方ガイドレール５０は、固定レール５１に対してスライダ５２を所定の前後位置で固定可能な不図示の支持体ロック機構を備えた構成となっている。
【００４４】
スライダ５２が固定レール５１に対して前後方向に相対移動することに伴い、スライダ５２と一体となったシート支持体２０が前後方向に移動可能になる。着座シートに対してシート支持体２０が相対移動することに伴い、着座シートの前後位置を変更することができる。
【００４５】
次に、シート装置１の着座シートの座面位置を変形させた変形例を図５に基づいて説明する。シート装置１の変形例では、シート支持体２０及びシート巻取軸３０を所定位置に移動させて、車両前後方向に配置された２つの着座シートを上下方向に並べるように変形させて略二段式ベッドを形成させたものである。
具体的に言うと、車両前後方向において、前方側のシート巻取軸３０から吊り下げられた前方側のシート基材１０の係合フック１５を前方側のシート支持体２０の係合ブラケット２３に固定すると共に、前方側のシート基材１０のうち、シート巻取軸３０側に別途設けられた係合フックを後方側のシート基材１０に別途設けられた係合フックに固定させることによって、前方側の着座シートをベッド形状として形成させる。
また、後方側のシート巻取軸３０から吊り下げられた後方側のシート基材１０の係合フック１５を前方側のシート支持体２０に別途設けられた係合ブラケットに固定すると共に、後方側のシート基材１０のうち、シート巻取軸３０側に別途設けられた係合フックを後方側のシート支持体２０の係合ブラケット２３に固定させることによって、後方側の着座シートをベッド形状として形成させる。
このように構成することによって、着座する乗員が、休憩時等に快適にシート装置１の着座シートを利用することができる。
【００４６】
次に、シート装置１の着座シートの座面位置を変更する座面位置変更手段を説明する。
シート装置１は、図２に示すように、シート支持体２０の位置変更と、シート巻取軸３０の位置変更とによって、着座シートの座面位置を変更することができる。
具体的に言うと、シート支持体２０は、函体２１に対してシート支持枠２２を上方に引き出すことによって、着座シートの座面高さを変更することができる。また、シート支持体２０は、車室内フロア側を支点としてシート支持体２０を前後方向に回動させることによって、着座シートの座面位置を変更することができる。さらに、シート支持体２０は、スライダ５２と一体となって固定レール５１に対して前後方向に相対移動することによって、着座シートの前後位置を変更することができる。
シート支持体２０の位置変更は、乗員によって直接操作されても良いし、不図示の操作レバー等を用いて操作されても良い。
【００４７】
シート巻取軸３０は、スライダ４２と一体となって固定レール４１に対して前後方向に相対移動することによって、着座シートの前後位置を変更することができる。
シート巻取軸３０の位置変更は、乗員によって直接操作されても良いし、不図示の操作レバー等を用いて操作されても良い。
シート装置１は、乗員の手動操作によって、着座シートの座面位置を変更しているが、これに限定されることなく、車室内に備えられた不図示の制御部によって、シート支持体２０及びシート巻取軸３０の位置変更を遠隔制御させてワンタッチボタンで操作する構成としても良い。
【００４８】
次に、シート装置１の着座シートの座面張力を変更する座面張力変更手段を説明する。
シート装置１では、図２に示すように、シート巻き取り軸３０の巻き取り張力を変更することよって、着座シートの座面張力を変更することができる。
具体的に言うと、シート巻き取り軸３０は、シート巻き取り軸３０から引き出されたシート基材１０を巻き取る張力を変更することによって、シート基材１０の張力を変更することができ、その結果、着座シートの座面張力を変更することが可能になる。
シート巻き取り軸３０の巻き取り張力変更は、不図示の公知なダイヤル調整式のアクチュエータ等を用いて、乗員によって操作されると良い。
シート装置１は、乗員の手動操作によって、着座シートの張力変更を操作しているが、これに限定されることなく、車室内に備えられた不図示の制御部によって、シート巻取軸３０の巻き取りを遠隔制御させてワンタッチボタンで操作する構成としても良い。
【００４９】
次に、図６に基づいて、シート基材１０の張力と通気性について説明する。
シート基材１０の頭部１２、背もたれ部１３、及び着座部１４は、伸縮性を有する布状体からなり、乗員の着座感を向上させるために、それぞれ異なる張力及び通気性を備えた構成となっている。
シート基材１０の頭部１２の張力は、背もたれ部１３及び着座部１４の張力よりも高くなるように形成されている。そのため、頭部１２は、着座する乗員の頭部を十分に支持することができる。
【００５０】
シート基材１０の背もたれ部１３の張力では、左右方向において背もたれ中央部１３ａと背もたれ両端部１３ｂに区分けして張力を比較したとき、背もたれ中央部１３ａの張力が高く、背もたれ両端部１３ｂの張力が低くなるように形成されている。そのため、背もたれ部１３は、着座する乗員を左右外側から左右内側に向かって包み込むように支持することができる。
また、背もたれ中央部１３ａの張力では、上下方向において肩部１３ｃと、背部１３ｄと、腰部１３ｅとに区分けして張力を比較したとき、腰部１３ｅの張力が最も高く、次いで背部１３ｄ、肩部１３ｃの張力の順に低くなるように形成されている。そのため、張力の高い腰部１３ｅが、着座する乗員の腰部を確実に支持すると共に、張力の低い肩部１３ｃ及び背部１３ｄが、乗員の背部を柔らかく支持することができる。
【００５１】
シート基材１０の着座部１４の張力では、左右方向において着座中央部１４ａと着座両端部１４ｂに区分けして張力を比較したとき、着座中央部１４ａの張力が高く、着座両端部１４ｂの張力が低くなるように形成されている。そのため、着座部１４は、着座する乗員を左右外側から左右内側に向かって包み込むように支持できる。
また、着座中央部１４ａの張力では、前後方向において大腿前部１４ｃと、大腿後部１４ｄと、臀部１４ｅとに区分けして張力を比較したとき、臀部１４ｅの張力が最も高く、次いで大腿後部１４ｄ、大腿前部１４ｃの張力の順に低くなるように形成されている。そのため、張力の高い臀部１４ｅが、着座する乗員の臀部を確実に支持すると共に、張力の低い大腿前部１４ｃ及び大腿後部１４ｄが、乗員の大腿を柔らかく支持することができる。
【００５２】
シート基材１０の張力は、複数の布状体を重ねて縫着したり、布状体の糸の太さや編み方を変更したり、ステッチを付与したりする等して部位ごとに調整することが可能である。
なお、着座する乗員がシートベルトを装着することを配慮して、背もたれ部１３及び着座部１４のうち、シートベルトが接触する部分の張力は、高くなるように形成して、耐摩耗性を向上させておくと良い。
【００５３】
シート基材１０の頭部１２の通気性は、背もたれ部１３及び着座部１４の通気性よりも低くなるように形成されている。そのため、頭部１２は、着座する乗員の頭部周辺の保温性を高めることができる。
背もたれ部１３では、背もたれ中央部１３ａのうち、背部１３ｄと腰部１３ｅの通気性が高くなるように形成されている。そのため、背部１３ｄと腰部１３ｅは、乗員が発汗し易い下背部と腰部周辺の通気性を高めることができる。
着座部１４では、着座中央部１４ａのうち、大腿後部１４ｄと臀部１４ｅの通気性が高くなるように形成されている。そのため、大腿後部１４ｄと臀部１４ｅは、乗員が発汗し易い大腿後部と臀部周辺の通気性を高めることができる。
シート基材１０の通気性は、複数の布状体を重ねて縫着したり、布状体の糸の密度を変更したり、パンチング形成したりする等して、部位ごとに調整することが可能である。
【００５４】
次に、図７に基づいて本発明の第２実施形態に係るシート装置２を説明する。
第２実施形態に係るシート装置２では、シート支持体６０が車両前後方向に回動可能なリンク式構造からなることを特徴とするものである。
シート支持体６０は、シート装置２の着座シートの座面位置を変更するリンク式構造の支持部材であって、金属製のパイプ部材を略コ字形状に連結して形成されている。
シート支持体６０は、図７に示すように、車室内フロアに折り畳んで収納された収納位置と、収納位置から車体フロア上に起立した起立位置との間を移動可能であって、収納時には、車両前方側又は後方側に回動させて車室内フロア側に収納されている。
【００５５】
シート支持体６０は、車室内フロア上に立設され、着座シートの着座部１４の前方部分を支持する一対の前方シート支持体６１と、着座部１４の後方部分を支持する一対の後方シート支持体６２と、前方シート支持体６１の上方端部と後方シート支持体６２の上方端部とを連結し、着座部１４の左右両端部を支持する一対の支持体連結部６３と、から主に構成されている。
前方シート支持体６１及び後方シート支持体６２は、車室内フロアに取り付けられたスライダ５２と連結されており、車室内フロア側を支点として前後方向に回動自在な機構となっている。なお、前方シート支持体６１及び後方シート支持体６２は、所定の回動位置で固定可能な不図示の公知な連結機構によって構成されている。
【００５６】
支持体連結部６３は、公知な連結機構によって前方シート支持体６１及び後方シート支持体６２のそれぞれに対して回動可能な状態で連結されている。
支持体連結部６３の上面には、シート基材１０の係合フック１５に着脱可能に係合させるための一対の係合ブラケット６４が固定されている。
【００５７】
シート巻取軸３０から吊り下げられたシート基材１０を車室内フロア上に起立したシート支持体６０に支持させると共に、シート基材１０側の係合フック１５をシート支持体２０側の係合ブラケット６４に係合させることによって、着座シートを形成できる。
このとき、車室内フロア側を支点としてシート支持体６０をリンク機構によって前後方向に回動させることによって、着座シートの座面位置を変更することができる。
また、前方シート支持体６１と後方シート支持体６２は、それぞれ独立してスライダ５２と連結されており、固定レール５１に対して前後方向に相対移動可能に支持されている。
このとき、前方シート支持体６１を固定レール５１に移動不能にロックさせると共に、後方シート支持体６２のみを移動可能に支持させることも可能である。
【００５８】
着座シートは、前方シート支持体６１及び後方シート支持体６２による車体フロア側を支点とした前後方向の回動、及び前後方向のスライド移動によって、また、シート巻取軸３０による前後方向のスライド移動によって、シートの座面位置を変更することができる。
例えば、シート支持体６０を固定させておいて、シート巻取軸３０を後方に所定の位置まで移動させることによって、着座シートのリクライニング機構を構成することができる。
【００５９】
なお、シート支持体６０の支持体連結部６３底面に不図示のサイドエアバッグを取り付けておき、車両の側方衝突時等の際に、このサイドエアバッグが上方に向って展開されるように構成することで、着座する乗員の側方移動を低減することが可能になる。
【００６０】
次に、図８に基づいて本発明の第３実施形態に係るシート装置３を説明する。
第３実施形態に係るシート装置３では、シート巻取軸３０が車体フロア側のシート支持体２０の上面に取り付けられ、また、シート支持体２０の後方側にシート隔壁体７０を備えた構造からなることを特徴とするものである。
シート巻取軸３０に巻取されたシート基材１０を、車体フロア側から車体ルーフ側に引き出して、シート基材１０の引き出し端部に設けた係合フック１５をスライダ４２の中央外周面に取り付けられた一対の吊り金具７１に係合させて、着座シートを形成することができる。
シート装置３のシート巻取軸３０は、シート支持体２０上面に取り付けられているが、これに限定されることなく、車体フロア上面に取り付けられても良いし、車体フロア内に隠せるように収納して取り付けられても良く、適宜変更することができる。
【００６１】
シート隔壁体７０は、図８に示すように、シート装置３の着座シートを着座シート後方部分と隔てるための隔壁部材であって、左右方向に長尺な略直方体の金属製フレームとして形成されている。
シート隔壁体７０は、車室内フロアに折り畳んで収納された収納位置と、収納位置から車体フロア上に起立した起立位置との間を移動可能であって、収納時には、車両前方側に回動させて車室内フロア側に収納されている。
シート隔壁体７０は、シート隔壁体７０が、車室内フロアに取り付けられたスライダ５２と連結されており、車室内フロア側を支点として前後方向に回動自在な機構となっている。なお、シート隔壁体７０は、所定の回動位置で固定可能な公知な連結機構によって構成されている。
【００６２】
シート隔壁体７０の左側外側面には、不図示のシートベルトを着脱自在に取り付けるためのベルトバックル７２が取り付けられている。
また、シート隔壁体７０の上端部には、不図示のチャイルドシートを固定するための一対の取付具７３が取り付けられており、チャイルドシートを装着する場合には、シート支持体２０とシート隔壁体７０の間にチャイルドシートを配設し、このチャイルドシートをシート支持体２０の係合ブラケット２３とシート隔壁体７０の取付具７３に掛け止めすることにより装着することができる。
乗員が着座する着座シートの後方にシート隔壁体７０を備えることにより、着座シート後方に積まれた荷物が車両前方側に移動してきたときに、荷物の移動を規制することが可能になる。
【００６３】
なお、シート隔壁体７０の左右外側面に不図示のサイドエアバッグを取り付けておき、車両の側方衝突時等の際に、このサイドエアバッグが上方に向って展開されるように構成することで、着座する乗員の側方移動を低減することが可能になる。
【００６４】
次に、図９に基づいて本発明の第４実施形態に係るシート装置４を説明する。
第４実施形態に係るシート装置４では、シート巻取軸３０から吊り下げられた左右方向に長尺なシート基材１０を、車室内フロア上に起立したシート支持体６０に支持させて、着座シートを形成したことを特徴とするものである。
このとき、車室内フロア側を支点としてシート支持体６０をリンク機構によって前後方向に回動させることによって、着座シートの座面位置を変更することができる。
左右方向に長尺な着座シートを形成できるため、複数の乗員が隣接して着座することが可能になる。
また、着座シートの中央部分に、シート基材１０を支持するための不図示のシート中央部支持体を別途設けても良く、シート中央部支持体を乗員間の中央部の仕切りとして用いることができる。このとき、このシート中央部支持体が左右方向に移動可能に配設されることで、乗員の体格に合わせて着座シートの座面幅の仕切り位置を調整することができる。さらに、このシート中央部支持体を複数設けることで、例えば、三人掛けの着座シートの仕切りとして利用することもできる。
【００６５】
次に、図１０に基づいて本発明の第５実施形態に係るシート装置５を説明する。
第５実施形態に係るシート装置５では、スライダ４２とシート基材１０の間にシート重量検知センサ８０を取り付けると共に、シート基材１０内部に乗員姿勢検知センサ９０を内蔵したことを特徴とするものである。
シート重量検知センサ８０は、特許請求の範囲のシート重量検出部に相当し、乗員姿勢検知センサ９０は、特許請求の範囲の乗員姿勢検出部に相当する。
シート重量検知センサ８０は、着座シートに着座した乗員の重量を検出するセンサであって、乗員が着座シートに着座した状態になると、不図示の巻き取り座面張力制御部８１に検出信号を伝送する構成となっている。
座面張力制御部８１は、シート重量検知センサ８０の検出信号に基づいて、シート巻取軸３０の巻き取り張力を制御する。なお、シート巻取軸３０は、図１０に示すような、車体フロア側のシート支持体２０の上面に取り付けられた構成になっている。
すなわち、シート装置５では、図１１のブロック図に示すように、シート重量検知センサ８０の検出信号に基づいて、座面張力制御部８１が座面張力変更手段を駆動し、この座面張力変更手段がシート巻取軸３０の巻き取り張力変更を実行することになる。
その結果、着座する乗員の重量に対応して、シート装置５の着座シートの座面張力を変更することができる。
【００６６】
乗員姿勢検知センサ９０は、着座シートに着座した乗員の姿勢又は体格を検出するセンサであって、乗員が着座シートに着座した状態になると、不図示の座面位置制御部９１に検出信号を伝送する構成となっている。
座面位置制御部９１は、乗員姿勢検知センサ９０の検出信号に基づいて、着座シートの座面位置を制御する。
すなわち、シート装置５では、図１１のブロック図に示すように、乗員姿勢検知センサ９０の検出信号に基づいて、座面位置制御部９１が座面位置変更手段を駆動し、この座面位置変更手段が、シート巻取軸３０の移動とシート支持体２０の移動とを実行することになる。
その結果、着座する乗員の姿勢又は体格に対応して、シート装置５の着座シートの座面位置を変更することができる。
【００６７】
次に、図１２のフローチャートに基づいて、シート装置５の座面張力制御として、着座する乗員の重量を検知して座面張力変更手段を駆動する制御の一例を説明する。
シート装置５の座面張力制御は、図１２に示すように、まず、乗員が着座シートに着座したか否かを判定する（ＳＴ０１）。
具体的には、シート重量検知センサ８０が、着座シートに着座した乗員の重量を検出可能か否かによって、乗員が着座シートに着座したか否かを判定する。Ｙｅｓの場合は次のステップ（ＳＴ０２）に進み、Ｎｏの場合はＳＴ０１に戻る。
【００６８】
次に、シート重量検知センサ８０は着座した乗員の重量を検出し、座面張力制御部８１はシート重量検知センサ８０の検出信号を記憶する（ＳＴ０２）。
その後、座面張力制御部８１は、予め記憶されたシート座面張力設定情報を参照して、着座シートの座面張力が適切か否かを判定する（ＳＴ０３）。Ｙｅｓの場合は座面張力制御を完了し、Ｎｏの場合はＳＴ０４に進む。
次に、座面張力制御部８１は、シート座面張力設定情報を参照して、シート巻取軸３０の巻き取り張力の変更を実行する（ＳＴ０４）。その後、ＳＴ０３に戻る。
上記の一連の工程により、シート装置５は、着座シートに着座する乗員の重量を自動検出し、着座シートの座面張力変更を制御することができ、乗員の着座感を向上させることができる。
【００６９】
次に、図１３のフローチャートに基づいて、シート装置５の座面位置制御として、着座する乗員の姿勢又は体格を検知して座面位置変更手段を駆動する制御の一例を説明する。
シート装置５の座面位置制御は、図１３に示すように、まず、乗員が着座シートに着座したか否かを判定する（ＳＴ０１）。
具体的には、乗員姿勢検知センサ９０が、着座シートに着座した乗員の姿勢又は体格を検出可能か否かによって、乗員が着座シートに着座したか否かを判定する。Ｙｅｓの場合は次のステップ（ＳＴ０２）に進み、Ｎｏの場合はＳＴ０１に戻る。
【００７０】
次に、乗員姿勢検知センサ９０は着座した乗員の姿勢又は体格を検出し、座面位置制御部９１は乗員姿勢検知センサ９０の検出信号を記憶する（ＳＴ０２）。
その後、座面位置制御部９１は、予め記憶されたシート座面位置設定情報を参照して、着座シートの座面位置張力が適切か否かを判定する（ＳＴ０３）。Ｙｅｓの場合は座面位置制御を完了し、Ｎｏの場合はＳＴ０４に進む。
次に、座面位置制御部９１は、シート座面位置設定情報を参照して、シート巻取軸３０の位置変更とシート支持体６０の位置変更を実行する（ＳＴ０４）。その後、ＳＴ０３に戻る。
上記の一連の工程により、シート装置５は、着座する乗員の姿勢や体格を自動検出し、着座シートの座面位置変更を制御することができ、乗員の着座感を向上させることができる。
【００７１】
上記実施形態のシート基材１０は、布状体及び紐状体から形成されているが、これに限定されることなく、適宜変更可能である。例えば、シート基材１０の布状体に別途光ファイバーを縫着することにより、乗員の嗜好に合わせてシート座面の色合いを変化可能な着座シートを形成することができる。また、シート基材１０を部分的に又は全体的に投影フィルムとして形成することにより、乗員の嗜好に合わせてシート座面のデザイン性を向上させることができる。
また、シート基材１０の頭上部１１は、紐状体から形成されているが、これに限定されることなく、車両前後方向において乗員の視界を確保できる構成であれば適宜変更可能であって、例えば網状体から形成されていても良い。
【００７２】
上記実施形態のシート基材１０は、車室内ルーフ側又は車室内フロア側に格納されているが、これに限定されることなく、車室内サイド側、車室内フロント側、車室内バック側に格納された格納位置として構成しても良い。また、シート基材１０は、車室内フロア側又は車室内ルーフ側に展開されているが、これに限定されることなく、車室内サイド側、車室内フロント側、車室内バック側に展開された展開位置として構成されても良い。
【００７３】
上記実施形態のシート支持体２０、６０は、車室内フロア側に収納されているが、これに限定されることなく、車室内ルーフ側、車室内サイド側、車室内フロント側、車室内バック側に収納された収納位置として構成しても良い。また、シート支持体２０、６０は、車室内ルーフ側に起立してシート基材１０を支持しているが、これに限定されることなく、車室内フロア側、車室内サイド側、車室内フロント側、車室内バック側に起立してシート基材１０を支持する構成されても良い。
【００７４】
上記実施形態のシート支持体２０は、略直方体からなる金属製の支持フレームとして形成され、シート支持体６０は、リンク式構造からなる支持フレームとして形成されているが、シート支持体２０、６０の形状及び構成はこれに限定されることなく、適宜変更可能である。例えば、半球形状のシート支持体を車室内ルーフ又は車室内フロア上に起立させて、このシート支持体の内部にシート基材１０を展開して着座シートを形成しても良い。このように構成することで、乗員がシート支持体内部に包まれた状態で着座シートに着座することができ、乗員が適度な距離感、適度な閉塞感による安心感を得ることができる。
【００７５】
上記実施形態のシート巻取軸３０は、車室内ルーフ側又は車室内フロア側に取り付けられているが、これに限定されることなく、車室内サイド側の一方のドア部又はピラー部に取り付けられても良い。このとき、このシート巻取軸から引き出されたシート基材１０は、車両左右方向においてドア部又はピラー部の一方側から他方側に向って展開されて着座シートを形成する構成となっていると良い。
また、着座シートを形成するシート基材１０を背もたれ部１３と着座部１４とでそれぞれ分けて展開できるように、このシート巻取軸を背もたれ部１３用と着座部１４用として複数設ける構成としておくと一層良く、背もたれ部１３と着座部１４の座面張力を独立して変更できるようになる。
【００７６】
第５実施形態に係るシート装置５では、シート重量検知センサ８０と、乗員姿勢検知センサ９０とを取り付けて構成されていたが、これに限定されることなく、適宜変更可能であって、着座した乗員の着座位置を検出するシートポジションセンサ、着座した乗員の体圧を部位ごとに測定可能な感圧センサ、着座した乗員の着座状態を検知する静電容量センサ等を着座シートに別途取り付けて、制御部によって着座シートの座面位置、座面張力を制御しても良い。
【００７７】
上記各実施形態の着座シートは、乗員が手動によって、展開位置にあるシート基材１０を、起立位置にあるシート支持体２０、６０に支持させて、着座シートを形成しているが、これに限定されることなく、自動で着座シートを形成可能な構成としても良い。例えば、ワンタッチボタンで、シート基材１０を格納位置と展開位置の間で移動させると共に、シート支持体２０、６０を収納位置と起立位置の間で移動させるように構成させて、シート基材１０をシート支持体２０、６０に係合させる作業のみ手動で行うようにしても良い。
【００７８】
上記各実施形態では、具体例として自動車に用いられる車両用シート装置について説明したが、これに限定されることなく、電車、バス等の車両用シート装置のほか、飛行機、船等の乗物用シート装置としても利用することができる。また、乗り物用シート装置のほか、映画館、プラネタリウム等の商業施設、病院待合室等の公共施設の室内、又は室外に広く用いられるシート装置として利用することも可能である。
【００７９】
本実施形態では、主として本発明に係るシート装置に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、シート基材１０がシート支持体２０に支持されて着座シートを形成する構成について、上記の実施形態にて説明したものは、あくまで一例に過ぎず、本発明を限定するものではない。
【符号の説明】
【００８０】
１、２、３、４、５  シート装置
１０  シート基材
１１  頭上部
１２  頭部
１３  背もたれ部
１３ａ  背もたれ中央部
１３ｂ  背もたれ両端部
１３ｃ  肩部
１３ｄ  背部
１３ｅ  腰部
１４  着座部
１４ａ  着座中央部
１４ｂ  着座両端部
１４ｃ  大腿前部
１４ｄ  大腿後部
１４ｅ  臀部
１５  係合フック
２０、６０  シート支持体
２１  函体
２２  シート支持枠
２３  引き出し金具
２４  係合ブラケット
３０  シート巻取軸
４０  上方ガイドレール
４１、５１  固定レール
４２、５２  スライダ
４３、５３  ガイド
４４  振動吸収体
５０  下方ガイドレール
５４  連結部
６１  前方シート支持体
６２  後方シート支持体
６３  支持体連結部
６４  係合ブラケット
７０  シート隔壁体
７１  吊り金具
７２  ベルトバックル
７３  取付具
８０  重量検知センサ
８１  座面張力制御部
９０  乗員姿勢検知センサ
９１  座面位置制御部
【図１】
2014104904.tif 000003
【図２】
2014104904.tif 000004
【図３】
2014104904.tif 000005
【図４】
2014104904.tif 000006
【図５】
2014104904.tif 000007
【図６】
2014104904.tif 000008
【図７】
2014104904.tif 000009
【図８】
2014104904.tif 000010
【図９】
2014104904.tif 000011
【図１０】
2014104904.tif 000012
【図１１】
2014104904.tif 000013
【図１２】
2014104904.tif 000014
【図１３】
2014104904.tif 000015